(57)【要約】【課題】自走車体の前後重量をバランスさせやすくした状態で、原動部の放熱を活用した高い温度の搬送風を発生させるものでありながら、泥土層が深い湿田においても、圃場水による温度低下が生じにくい搬送風を発生させて農用資材の搬送をできるようにする。【解決手段】自走車体の前部に設けたエンジン６ａを有する原動部６と、水田作業装置に農用資材を供給するように自走車体の後部に設けた農用資材供給装置５と、農用資材供給装置５に搬送風を供給するように自走車体の後部に設けたブロワ２２とを備えている。ブロワ２２の吸気部２２ｂから原動部６に向けて延出した吸気ダクト３５を備えてある。吸気ダクト３５は、上端３５Ａが運転座席１３と原動部６の間に位置するステップ４０の横端側部分４２の上面４２ｔより高い配置高さに位置するように配備してある。【選択図】図７
2014064473.tif 000002
【特許請求の範囲】
【請求項１】
自走車体の前部に設けたエンジンを有する原動部と、前記自走車体の後部に設けた運転座席を有した運転部と、前記原動部と前記運転座席との間に設けたステップと、前記自走車体の後部に連結された水田作業装置と、前記水田作業装置に農用資材を供給するように前記自走車体の後部に設けた農用資材供給装置と、前記農用資材供給装置に搬送風を供給するように前記自走車体の後部に設けたブロワとを備え、
前記ブロワが前記原動部から吸気して搬送風を発生させるように、前記ブロワの吸気部から前記原動部に向けて延出した吸気ダクトを備え、
前記吸気ダクトは、上端が前記ステップの横端側部分の上面より高い配置高さに位置するように配備してある水田作業機。
【請求項２】
前記吸気ダクトは、前記原動部と前記運転座席との間の箇所のうち、自走車体平面視で前記運転座席の直前方に位置する箇所を自走車体前後方向に通るように配備してある請求項１に記載の水田作業機。
【請求項３】
前記吸気ダクトは、前記原動部に位置するエンジンボンネット及び前記運転座席の下方に位置する車体カバーを挿通するように配備してある請求項１又は２に記載の水田作業機。
【発明の詳細な説明】
【技術分野】
【０００１】
本発明は、自走車体の前部に設けたエンジンを有する原動部と、前記自走車体の後部に設けた運転座席を有した運転部と、前記原動部と前記運転座席との間に設けたステップと、前記自走車体の後部に連結された水田作業装置と、前記水田作業装置に農用資材を供給するように前記自走車体の後部に設けた農用資材供給装置と、前記農用資材供給装置に搬送風を供給するように前記自走車体の後部に設けたブロワとを備えた水田作業機に関する。
【背景技術】
【０００２】
従来、図１０に示すように、自走車体の後部に設けた運転座席１３を有した運転部１４と、運転座席１３の下方に設けたエンジン６ａと、自走車体の後部に連結された水田作業装置４と、水田作業装置４に農用資材を供給するように自走車体の後部に設けた農用資材供給装置５と、農用資材供給装置５に搬送風を供給するように農用資材供給装置５に装備されたブロワ２２とを備え、ブロワ２２の吸気ダクト３５を、ブロワ２２の吸気部からエンジン６ａの近くに延出するように配備された水田作業機があった。
【０００３】
また、従来、例えば、特許文献１に記載された乗用型田植機があった。
特許文献１に記載されたものでは、自走車体の前部に設けたエンジンを有する原動部と、自走車体の後部に設けた運転座席を有した運転部と、原動部と運転座席との間に設けたステップと、自走車体の後部に連結された苗植付装置と、自走車体の後部に設けた粉粒体供給装置と、自走車の後部に配備されて粉粒体供給装置に搬送風を供給する電動ブロワとを備え、電動ブロワの吸気管を、電動ブロワの吸気部からのステップの下方を通って原動部に延出するように配備されている。
【先行技術文献】
【特許文献】
【０００４】
【特許文献１】特開２００８−９２８９３号公報
【発明の概要】
【発明が解決しようとする課題】
【０００５】
ブロワが原動部から吸気するよう構成すれば、原動部におけるエンジンなどの放熱によって温度上昇した空気をブロワに吸引させることができる。つまり、エンジンなどを熱源に活用して、温度が高い搬送風を発生させることができ、農用資材供給装置から水田作業装置に供給される農用資材や、水田作業装置に農用資材を供給する供給路の乾燥を高い温度の搬送風によって図り、農用資材が湿気によって固まるとか搬送し難くなることを回避し易い。
【０００６】
図１０に示した従来の技術を適用した場合、水田作業装置及び農用資材供給装置の荷重が自走車体の後部に掛かるのに加えてエンジンの荷重が自走車体の後部に掛かり、自走車体の前後重量がバランスし難くなる。
【０００７】
特許文献１に開示された技術を適用した場合、ブロワから原動部に向かって延出する吸気ダクトが下端から上端までの全体にわたってステップの下方に位置することになり、吸気ダクトの対地高さが低くなりがちであった。つまり、泥土層が深い湿田において、車輪が泥土に深く沈み込むことがあると、吸気ダクトが圃場の水に触れて冷却され、搬送風の温度が原動部から吸引する空気の温度に比して低くなりがちであった。
【０００８】
本発明の目的は、自走車体の前後重量をバランスさせ易くした状態で、原動部の放熱を活用して高い温度の搬送風を発生させるよう構成するものでありながら、泥土層が深い湿田においても、温度低下が生じにくい搬送風によって農用資材の搬送をできる水田作業機を提供することにある。
【課題を解決するための手段】
【０００９】
本発明による水田作業機は、
自走車体の前部に設けたエンジンを有する原動部と、前記自走車体の後部に設けた運転座席を有した運転部と、前記原動部と前記運転座席との間に設けたステップと、前記自走車体の後部に連結された水田作業装置と、前記水田作業装置に農用資材を供給するように前記自走車体の後部に設けた農用資材供給装置と、前記農用資材供給装置に搬送風を供給するように前記自走車体の後部に設けたブロワとを備え、
前記ブロワが前記原動部から吸気して搬送風を発生させるように、前記ブロワの吸気部から前記原動部に向けて延出した吸気ダクトを備え、
前記吸気ダクトは、上端が前記ステップの横端側部分の上面より高い配置高さに位置するように配備してあることを特徴とする。
【００１０】
本構成によると、水田作業装置の荷重が自走車体の後部に掛かるのに対し、エンジンの荷重が自走車体の前部に掛かることにより、自走車体の前後重量をバランスさせ易い。
【００１１】
本構成によると、吸気ダクトの上端がステップの横端側部分の上面より高い配置高さに位置することにより、従来に比べ、吸気ダクトの対地高さを高くし、走行装置が泥土層に沈んでも、吸気ダクトを圃場水に接触し難くできる。これにより、泥土層が深い湿田においても、エンジンなどの放熱によって温度上昇した空気を、吸気ダクトの圃場水への接触に起因した冷却による温度低下が生じ難い状態でブロワに吸引させ、温度低下が生じ難い高い温度の搬送風を発生させて農用資材供給装置に供給させることができる。
【００１２】
従って、本発明によると、自走車体の前後重量をバランスさせ易いものでありながら、かつエンジンなどを熱源に活用した簡単な構造でありながら、泥土層が深い湿田でも、吸気ダクトの圃場水との接触による温度低下が生じ難い高い温度の搬送風によって農用資材を搬送させ、農用資材の湿気による固まりや搬送不良を効果的に回避しながら作業できる。
【００１３】
本発明において、前記吸気ダクトは、前記原動部と前記運転座席との間の箇所のうち、自走車体平面視で前記運転座席の直前方に位置する箇所を自走車体前後方向に通るように配備すると好適である。
【００１４】
原動部と運転座席との間の箇所のうち、自走車体平面視で運転座席の直前方に位置する箇所は、運転部に対する乗り降りの際にも、運転座席に着座して運転する際にも、使用されることがあまり無い箇所である。本構成によると、乗り降りの際にも運転の際にもあまり使用されない箇所に吸気ダクトを配備するから、吸気ダクトの地上高さをより高くして、吸気ダクトがステップから上方に高く突出することになっても、吸気ダクトが障害物になり難い。
【００１５】
従って、本発明によると、吸気ダクトの地上高さをより高くし、泥土層が深い圃場における吸気ダクトの圃場水との接触による搬送風の温度低下をより回避し易くできる。
【００１６】
本発明において、前記吸気ダクトは、前記原動部に位置するエンジンボンネット及び前記運転座席の下方に位置する車体カバーを挿通するように配備すると好適である。
【００１７】
本構成によると、吸気ダクトの前端側がエンジンボンネットを挿通し、吸気ダクトの後端側が車体カバーを挿通することにより、吸気ダクトの形状を原動部のエンジンボンネット内に位置する前端から車体カバー内に至るまで直線形状にしながら吸気ダクトの配置高さを高くすることができる。
【００１８】
従って、本発明によると、吸気ダクトの地上高さを高くして搬送風の圃場水による温度低下を回避し易いものでありながら、吸気ダクトによって発生するブロワの吸気抵抗が吸気ダクトの直線形状によって小になり、ブロワによる吸気を効率よく行なわせることができる。
【図面の簡単な説明】
【００１９】
【図１】水田作業機の全体を示す側面図である。
【図２】水田作業機の全体を示す平面図である。
【図３】水田作業装置を示す側面図である。
【図４】水田作業装置を示す正面図である。
【図５】自走車の上部を示す正面図である。
【図６】吸気ダクトの配備を示す縦断正面図である。
【図７】吸気構造を示す側面図である。
【図８】別の実施構造を備える吸気構造を示す側面図である。
【図９】さらに別の実施構造を備える吸気構造を示す側面図である。
【図１０】従来の水田作業機を示す側面図である。
【発明を実施するための形態】
【００２０】
図１は、本発明の実施例に係る水田作業機の全体を示す側面図である。図２は、本発明の実施例に係る水田作業機の全体を示す平面図である。これらの図に示すように、本発明の実施例に係る水田作業機は、左右一対の操向操作及び駆動自在な前輪１０，１０と左右一対の駆動自在な後輪１１，１１とによって自走するよう構成した乗用型の自走車と、自走車の車体フレーム１の後部に、油圧シリンダ２の作動で昇降揺動するリンク機構３を介して連結された水田作業装置４と、自走車体の後部に設けた農用資材供給装置５とを備えている。
【００２１】
水田作業機は、水田作業装置４を下降作業状態に下降させて自走車を走行させることにより、水田作業装置４において、６条植えの苗植え作業と、６条の植付苗それぞれの横側近くの圃場箇所に肥料供給する施肥作業とを行なう。
【００２２】
自走車について説明する。
図１及び図２に示すように、自走車は、車体フレーム１の前部に支持されたエンジン６ａを有した原動部６と、車体フレーム１の前部に支持されたギヤ式伝動装置９を備えている。エンジン６ａからの動力をベルト式伝動装置７及び静油圧式無段変速装置８を介してギヤ式伝動装置９に伝達し、このギヤ式伝動装置９からの走行用動力を左右の前輪１０及び後輪１１に伝達するように構成してある。自走車は、車体フレーム１の後部に設けた運転座席１３と、運転座席１３の前方に設けたステアリングホイール１２とを有した搭乗形の運転部１４を備えている。
【００２３】
自走車には、運転座席１３と原動部６との間に設けたステップ４０と、原動部６に配備したエンジンボンネット５０の両横側に設けた前乗降ステップ４５とを備えてある。
【００２４】
ステップ４０は、ステップ４０のうちの自走車体横方向での中央部分を構成する運転ステップ部４１と、ステップ４０のうちの自走車体横方向での両横端側部分を構成する横乗降ステップ部４２とを備えている。運転ステップ部４１と左右の横乗降ステップ部４２とは、分割自在に構成してある。左右の横乗降ステップ部４２の横外端部の下方に、乗降用補助ステップ４３を配備してある。
【００２５】
左右の前乗降ステップ４５は、前乗降ステップ４５のうちのエンジンボンネット５０に沿った部分を構成する主乗降ステップ部４６と、前乗降ステップ４５のうちの横外側端部を構成する拡幅ステップ部４７とを備えている。主乗降ステップ部４６は、ステップ４０を構成する運転ステップ部４１から自走車体前方向きに延出する状態で運転ステップ部４１に一体形成してある。拡幅ステップ部４７は、ステップ４０を構成する横乗降ステップ部４２から自走車体前方向きに延出する状態で横乗降ステップ部４２に一体形成してある。
【００２６】
水田作業装置４について説明する。
図３は、水田作業装置４を示す側面図である。図１，２，３に示すように、水田作業装置４は、リンク機構３を構成するアッパーリンク３ａ及びロワーリンク３ｂの後端部に連結フレーム３ｃを介して前端部が連結された植付け機体フレーム３０を備えている。植付け機体フレーム３０は、連結フレーム３ｃに植付機体横方向での中間部が連結された植付機体横方向に長いメインフレーム２８と、メインフレーム２８の長手方向での３箇所から植付機体後方向きに延出され、植付機体横方向に所定間隔を隔てて並ぶ植付機体前後向きの３つの植付け駆動ケース２９とを備えて構成されている。メインフレーム２８は、縦断面形状が矩形に形成された中空の鉄鋼材によって構成されている。
【００２７】
水田作業装置４は、各植付け駆動ケース２９の後端部の両横側に一つずつ駆動自在に設けられた６つの苗植付け機構１８、植付け機体フレーム３０の前端側の上方に下端側ほど植付機体後方側に位置する傾斜姿勢で設けられた苗載せ台１７、植付け機体フレーム３０の下方に植付機体横方向に並べて設けられた３つの接地フロート１５を備えている。各苗植付け機構１８は、植付け駆動ケース２９に駆動回転自在に支持される回転ロータ１８ａと、回転ロータ１８ａの両端部に設けた植付けアーム１８ｂとを備えて、ロータリ式に構成されている。すなわち、各苗植付け機構１８は、回転ロータ１８ａが回転駆動されることにより、一対の植付けアーム１８ｂ，１８ｂにより、交互に苗載せ台１７の下端部から苗を取り出し、取り出した苗を圃場面に植え付けるように苗植え運動を行なう。
【００２８】
図３，４に示すように、水田作業装置４に、６つの苗植付け機構１８の横側近くに一つずつ位置する配置で植付機体横方向に並ぶ６つの作溝器１９を備えてある。各作溝器１９は、接地フロート１５に支持されている。各作溝器１９は、農用資材供給装置５に備えられた繰出し機構２０の吐出部２０ａに供給路２３を介して接続されている。各作溝器１９と吐出部２０ａとを接続する供給路２３は、作溝器１９の上端側に接続管２５を介して下端側が連通する樹脂製の植付機体上下向きの供給管２４と、供給管２４の上端側と吐出部２０ａとを接続する可撓性の供給ホース２７とを備えて構成してある。接続管２５の上端部から下方向きに延出し、下向きに開口する供給路カバー２６を接続管２５に一体形成し、この供給路カバー２６によって作溝器１９の上部を全周にわたって覆ってある。
【００２９】
従って、水田作業装置４は、６つの苗植付け機構１８によって苗植え付けを行なうに伴い、各作溝器１９により、苗植付け機構１８による苗植え付け箇所の横側近くで圃場の泥土層部に施肥溝を形成し、形成した施肥溝に、農用資材供給装置５から供給路２３を介して供給された肥料を落下させて供給する。肥料を供給した後の施肥溝は、作溝器１９の後方に配置して接地フロート１５に支持された埋戻し板３１（図３参照）による泥土の押し寄せによって埋められる。
【００３０】
農用資材供給装置５について説明する。
図１，２に示すように、農用資材供給装置５は、運転座席１３の後方に配置されたホッパ形のタンク２１と、このタンク２１の底部に走行機体横方向に並べて設けた４つの繰出し機構２０とを備えている。
【００３１】
４つの繰出し機構２０は、水田作業装置４に作業用動力を伝達する伝動系からの動力で回転駆動される繰出しロール（図示せず）が内装された繰り出しケース（図示せず）と、繰り出しケースの繰出しロールより下方に位置する部位に設けた左右一対の吐出部２０ａ，２０ａとを備えている。各繰出し機構２０が備える左右一対の吐出部２０ａ，２０ａに自走車体後方向きに開口する吐出口２０ｂを設けてある。左右一対の吐出部２０ａ，２０ａの一方あるいは両方の吐出口２０ｂに供給ホース２７を接続してある。
【００３２】
４つの繰出し機構２０の吐出部２０ａに、吐出口２０ｂに向けて搬送風を送り込む送風口（図示せず）を設けてある。４つの繰出し機構２０の送風口と、自走車体の後部に車体フレーム１に支持された状態で設けたブロワ２２の排気部２２ａとを送風ダクト３７によって連通させてある。ブロワ２２は、自走車体の後部のうちの運転座席１３の下方に位置する部位であって、運転座席１３を支持する座席支持台に構成した状態で運転座席１３の下方に配備された車体カバー５５の内部に位置する部位に、車体フレーム１に支持された状態で配備してある。ブロワ２２は、電動モータによって駆動されるように構成してある。ブロワ２２の吸気部２２ｂから吸気ダクト３５を原動部６に向けて延出してある。吸気ダクト３５の延出端部に、原動部６のうちのエンジン６ａの後方下方に位置する部位で開口する吸気口３５ａを備えてある。
【００３３】
従って、タンク２１に貯留された肥料が各作溝器１９に次の如く供給される。
農用資材供給装置５がタンク２１に貯留された肥料を４つの繰出し機構２０によって各繰出し機構２０の吐出部２０ａに設定量ずつ繰り出す。ブロワ２２がエンジン６ａや排気マフラ３６などによる放熱によって温度上昇した状態の原動部６の空気を吸気ダクト３５を介して吸気して常温よりも高温の搬送風を発生させ、発生した搬送風を送風ダクト３７を介して各吐出部２０ａに供給する。吐出部２０ａに供給された搬送風は、吐出口２０ｂから供給路２３に流出し、吐出部２０ａに繰り出された肥料を吐出部２０ａから供給路２３に吹き出し、供給路２３を搬送して作溝器１９に供給する。
【００３４】
図１，２，７に示すように、ブロワ２２の吸気部２２ｂから延出する吸気ダクト３５は、車体カバー５５の内側から車体カバー５５のうちの前縦板部５６の下端部に設けた切欠き部を通ってステップ４０を構成する運転ステップ部４１の下方に出て、運転ステップ部４１の下方、及びエンジンボンネット５０のうちの後縦板部５１の下端部に設けた切欠き部を通って原動部６のうちのエンジン６ａの後方下方に位置する部位に至るように配備してある。
【００３５】
図２，６に示すように、吸気ダクト３５は、原動部６と運転座席１３との間に位置する部位３５ｂが、原動部６と運転座席１３との間の自走車体の箇所のうち、自走車体平面視で運転座席１３の直前方に位置する箇所を自走車体前後方向に通るように配備してある。
【００３６】
図６に示すように、吸気ダクト３５は、原動部６と運転座席１３との間に位置する部位３５ｂにおける上端３５Ａが、ステップ４０の横端側部分を構成する横乗降ステップ部４２の上面４２ｔより高い配置高さに位置するように配備してある。ステップ４０を構成する運転ステップ部４１のうち、吸気ダクト３５の原動部６と運転座席１３との間に位置する部位３５ｂに対応する部分４１ａを、自走車体上方向きに棒出して吸気ダクト３５を覆う下向き溝形の形状に形成してある。
【００３７】
運転部１４に運転者の上方を覆う日除け６０（キャノピ）を設けてある。日除け６０は、樹脂材の成形などによって中空部６０ａを備えた構造に構成すると共に、日除け６０の前端部と吸気ダクト３５の前端部とにわたって温風供給ダクト６１を設けてある。温風供給ダクト６１は、日除け６０の支柱６０ｂに沿って日除け６０から吸気ダクト３５側に延出するように配備してある。温風供給ダクト６１に送風操作機構６２を備えてある。送風操作機構６２は、温風供給ダクト６１を開閉操作する開閉弁(図示せず)、及び中空部６０ａから吸気ダクト３５に送風する送風ファン(図示せず)を備え、オン操作されることにより、開閉弁を開いて中空部６０ａと吸気ダクト３５とを連通させ、送風ファンを駆動して中空部６０ａの空気を吸気ダクト３５に供給するように構成してある。図７に示すように、吸気ダクト３５のうちの温風供給ダクト６１が接続する部位とブロワ２２との間の部位に電熱線６３を巻きつけてある。
【００３８】
送風操作機構６２をオン操作して、日除け６０の中空部６０ａにおいて太陽熱を受けて温度上昇した空気を吸気ダクト３５に導入したり、電熱線６３の電源をオンにして、吸気ダクト３５を通る空気を電熱線６３の発熱によって加温したりすることにより、原動部６から吸引される空気の温度不足を補うことができるように構成してある。
【００３９】
〔別実施形態〕
図８は、別の実施構造を備える吸気構造を示す側面図である。
図８に示すように、別の実施構造を備える吸気構造では、ブロワ２２の吸気部２２ｂから原動部６に向けて延出する吸気ダクト３５は、運転座席１３と原動部６の間に位置する部位３５ｂにおける上端３５Ａから下端３５Ｂに至る全体がステップ４０の横端側部分を構成する横乗降ステップ部４２の上面４２ｔより高い配置高さに位置するように、かつ、運転座席１３と原動部６の間に位置する部位３５ｂが原動部６と運転座席１３との間の自走車体の箇所のうち、自走車体平面視で運転座席１３の直前方に位置する箇所を自走車体前後方向に通るように配備してある。
【００４０】
吸気ダクト３５は、車体カバー５５の内側から車体カバー５５のうちの前縦板部５６に設けた貫通孔を挿通して車体カバー５５の前外側に出るように、かつ延出端部が原動部６の後外側に位置するように配備してある。吸気ダクト３５の延出端部に、エンジンボンネット５０のうちの後縦板部５１に設けた吸気孔に対向した吸気口３５ａを備えてある。つまり、ブロワ２２がエンジン６ａなどの放熱によって温度上昇した原動部６の空気を後縦板部５１の吸気孔を介して吸引するように構成してある。
【００４１】
吸気ダクト３５のうちの車体カバー５５とエンジンボンネット５０との間に位置する部位は、ステップ４０のうちの運転ステップ部４１から自走車体上方向きに突設したカバー（図示せず）によって覆われるように構成してある。
【００４２】
図９は、さらに別の実施構造を備える吸気構造を示す側面図である。
図９に示すように、さらに別の実施構造を備える吸気構造では、ブロワ２２の吸気部２２ｂから原動部６に向けて延出する吸気ダクト３５は、運転座席１３と原動部６の間に位置する部位３５ｂにおける上端３５Ａから下端３５Ｂに至る全体がステップ４０の横端側部分を構成する横乗降ステップ部４２の上面４２ｔより高い配置高さに位置するように、かつ、原動部６と運転座席１３との間の自走車体の箇所のうち、自走車体平面視で運転座席１３の直前方に位置する箇所を自走車体前後方向に通るように配備してある。
【００４３】
吸気ダクト３５は、車体カバー５５の内側から車体カバー５５のうちの前縦板部５６に設けた貫通孔を挿通して車体カバー５５の前外側に出るように、原動部６の後外側からエンジンボンネット５０のうちの後縦板部５１に設けた貫通孔を挿通して原動部６におけるエンジンボンネット内に入り込むように配備してある。
【００４４】
吸気ダクト３５のうちの車体カバー５５とエンジンボンネット５０との間に位置する部位は、ステップ４０のうちの運転ステップ部４１から自走車体上方向きに突設したカバー（図示せず）によって覆われるように構成してある。
【００４５】
〔別実施例〕
（１）上記した実施例では、農用資材供給装置５によって肥料を供給するように構成した例を示したが、薬剤など各種の農用資材を農用資材供給装置５によって供給するよう構成して実施してもよい。
【産業上の利用可能性】
【００４６】
本発明は、苗植え作業を行ないながら施肥作業を行なうように農用資材供給装置５を備えた水田作業機の他、播種作業を行なうように農用資材供給装置５を備えた水田作業機にも利用可能である。
【符号の説明】
【００４７】
４        水田作業装置
５        農用資材供給装置
６        原動部
６ａ      エンジン
１３      運転座席
１４      運転部
２２      ブロワ
２２ｂ    吸気部
３５      吸気ダクト
３５Ａ    上端
４０      ステップ
４２      横端側部分
４２ｔ    上面
５０      エンジンボンネット
５５      車体カバー
【図１】
2014064473.tif 000003
【図２】
2014064473.tif 000004
【図３】
2014064473.tif 000005
【図４】
2014064473.tif 000006
【図５】
2014064473.tif 000007
【図６】
2014064473.tif 000008
【図７】
2014064473.tif 000009
【図８】
2014064473.tif 000010
【図９】
2014064473.tif 000011
【図１０】
2014064473.tif 000012